(57)【要約】    【課題】  用紙をスムーズに送ることのできる紙送り装置を提供すること。    【解決手段】  曲面部２１ａと平面部２１ｂとから成る転動面２１を有する異型ローラー２と、異型ローラー２の回転軸を成すシャフト３と、用紙束１０を異型ローラー２の転動面２１に向けて付勢する用紙収容部４とを備え、転動面２１の曲面部２１ａが用紙束１０の最上部の用紙１１に接触している間、最上部の用紙１１が異型ローラー２の回転にともなって送られる紙送り装置１において、異型ローラー２の曲面部２１ａより小径で且つ平面部２１ｂより大径に形成される転動面５１を有し、シャフト３上にて異型ローラー２と同軸に配置される押さえローラー５をさらに備え、押さえローラー５の転動面５１は、最上部の用紙１１が異型ローラー２の曲面部２１ａによって送られた後、異型ローラー２１の曲面部２１ａが次の用紙１２を送り始めるまでの間、次の用紙１２に接触する構成としたこと。【選択図】  図３
2007230749.tif 000002
【特許請求の範囲】
【請求項１】
円筒状の曲面部と該曲面部の一部が切り取られて成る平面部とが設けられた転動面を有する異型ローラーと、
前記異型ローラーの回転軸を成し、駆動力を受けて前記異型ローラーと共に回転するシャフトと、
複数枚の用紙から成る用紙束を収容し、該用紙束の紙面を前記異型ローラーの転動面に向けて付勢する用紙収容部と、
を備え、
前記転動面の曲面部が前記用紙束における最上部の用紙に接触している間、該最上部の用紙が前記異型ローラーの回転にともなって送り方向に送られる紙送り装置において、
前記異型ローラーの曲面部より小径で且つ平面部より大径に形成される円筒面を有し、前記シャフト上にて前記異型ローラーと同軸に配置される押さえローラー
をさらに備え、
前記押さえローラーの円筒面は、前記最上部の用紙が前記異型ローラーの曲面部によって送られた後、該異型ローラーの曲面部が次の用紙を送り始めるまでの間、該次の用紙に接触することを特徴とする紙送り装置。
【請求項２】
前記異型ローラーによって送られる用紙と前記送り方向に当接し、該用紙との当接にともなって該送り方向にたわみ変形するたわみ部材をさらに備えることを特徴とする請求項１に記載の紙送り装置。
【請求項３】
前記たわみ部材は、前記異型ローラーの転動面ならびに前記押さえローラーの円筒面に対し隙間を介して配置され、前記異型ローラーによって送られる用紙と当接した後、該用紙が前記隙間を通過すべく前記送り方向にたわみ変形することを特徴とする請求項２に記載の紙送り装置。
【発明の詳細な説明】
【技術分野】
【０００１】
本発明は、紙送り装置に関する。
【背景技術】
【０００２】
公知の紙送り装置が、後述の特許文献１に記載されている。この装置は、円筒状の曲面部と曲面部の一部が切り取られて成る平面部とが設けられた転動面を有する異型ローラーと、複数枚の用紙から成る用紙束を収容し、用紙束の紙面を異型ローラーの転動面に向けて付勢する用紙収容部とを備えている。異型ローラーの転動面の曲面部が用紙束における最上部の用紙に接触している間、当該用紙が異型ローラーの回転にともなって送り方向に送られる。
【特許文献１】特開平８−２７７０４０号公報
【発明の開示】
【発明が解決しようとする課題】
【０００３】
上述の装置においては、最上部の用紙が異型ローラーの曲面部によって送られた後、異型ローラーの曲面部が次の用紙を送り始めるまでの間は、異型ローラーの転動面における平面部が、次の用紙（以下、単に用紙とする）に接触する可能性がある。異型ローラーの平面部が用紙に接触すると、用紙は、平面部によって若干送られた後、曲面部によってさらに送られる、すなわち、一様でない転動面によって送られることになる。このため、用紙が送られる際に異型ローラーに作用する抵抗が大きくなり、用紙がスムーズに送られなくなるおそれがあった。
【０００４】
よって、本発明は上記の問題点に鑑みてなされたものであり、用紙をスムーズに送ることのできる紙送り装置を提供することを課題とする。
【課題を解決するための手段】
【０００５】
上記課題を解決するために、本発明にて講じた技術的手段は、請求項１に記載の様に、円筒状の曲面部と該曲面部の一部が切り取られて成る平面部とが設けられた転動面を有する異型ローラーと、前記異型ローラーの回転軸を成し、駆動力を受けて前記異型ローラーと共に回転するシャフトと、複数枚の用紙から成る用紙束を収容し、該用紙束の紙面を前記異型ローラーの転動面に向けて付勢する用紙収容部と、を備え、前記転動面の曲面部が前記用紙束における最上部の用紙に接触している間、該最上部の用紙が前記異型ローラーの回転にともなって送り方向に送られる紙送り装置において、前記異型ローラーの曲面部より小径で且つ平面部より大径に形成される円筒面を有し、前記シャフト上にて前記異型ローラーと同軸に配置される押さえローラーをさらに備え、前記押さえローラーの円筒面は、前記最上部の用紙が前記異型ローラーの曲面部によって送られた後、該異型ローラーの曲面部が次の用紙を送り始めるまでの間、該次の用紙に接触する構成としたことである。
【０００６】
好ましくは、請求項２に記載の様に、前記異型ローラーによって送られる用紙と前記送り方向に当接し、該用紙との当接にともなって該送り方向にたわみ変形するたわみ部材をさらに備えると良い。
【０００７】
好ましくは、請求項３に記載の様に、前記たわみ部材は、前記異型ローラーの転動面ならびに前記押さえローラーの円筒面に対し隙間を介して配置され、前記異型ローラーによって送られる用紙と当接した後、該用紙が前記隙間を通過すべく前記送り方向にたわみ変形すると良い。
【発明の効果】
【０００８】
本発明に係る紙送り装置は、異型ローラーの曲面部より小径で且つ平面部より大径に形成される円筒面を有し、シャフト上にて異型ローラーと同軸に配置される押さえローラーを備えている。押さえローラーの円筒面は、用紙束における最上部の用紙が異型ローラーの曲面部によって送られた後、異型ローラーの曲面部が次の用紙を送り始めるまでの間、次の用紙に接触する。
【０００９】
この構造によれば、最上部の用紙が異型ローラーの曲面部によって送られた後、異型ローラーの曲面部が次の用紙を送り始めるまでの間、異型ローラーの転動面における平面部は、次の用紙から必ず離れており、次の用紙に接触しない。したがって、異型ローラーの転動面のうち曲面部だけが用紙と接触し、用紙は、異型ローラーの曲面部だけ、すなわち一様な転動面によって送られることになる。これにより、用紙が一様でない転動面によって送られる従来の場合と比べて、用紙が送られる際に異型ローラーに作用する抵抗が軽減され、用紙がスムーズに送られることとなる。
【発明を実施するための最良の形態】
【００１０】
以下、本発明を実施するための最良の形態を、図面を基に説明する。
【００１１】
図１は、本発明に係る紙送り装置１の概略図、図２は、紙送り装置１の上面図（図１におけるＩＩ方向矢視図）である。
【００１２】
紙送り装置１は、用紙束１０を形成する複数枚の用紙を、その最上部の用紙から１枚ずつ所定方向に連続的に送るためのものである。
【００１３】
紙送り装置１は、異型ローラー２と、シャフト３と、用紙収容部４と、押さえローラー５と、たわみ部材６とを備えている。
【００１４】
異型ローラー２は、転動面２１を有する円形のものである。異型ローラー２の転動面２１には、円筒状の曲面部２１ａと、曲面部２１ａの一部が切り取られて成る平面部２１ｂとが設けられている。
【００１５】
シャフト３は、丸棒状のもので、異型ローラー２の回転軸を成す。シャフト３は、異型ローラー２と一体に回転する。シャフト３は、駆動機構３０に連結されている。駆動機構３０は、シャフト３の端部に取り付けられる従動ギヤ３１と、従動ギヤ３１と噛み合う駆動ギヤ３２と、駆動ギヤ３２を回転させるハンドル部材３３と、から成る。従動ギヤ３１は、シャフト３と一体に回転する。ハンドル部材３３が操作されると、駆動ギヤ３２が回転する。駆動ギヤ３２の回転にともなって、駆動ギヤ３２と噛み合う従動ギヤ３１が回転し、シャフト３と異型ローラー２が回転する。つまり、ハンドル部材３３にて生じた駆動力が、駆動ギヤ３２及び従動ギヤ３１を介してシャフト３に伝達され、異型ローラー２がシャフト３と共に回転する。
【００１６】
用紙収容部４は、箱型を成すもので、複数枚の用紙から成る用紙束１０を収容する。用紙収容部４には、底板４１が設けられている。用紙束１０は、底板４１上に設置される。底板４１は、異型ローラー２の転動面２１に面している。また、底板４１は、スプリング４２によって上方に付勢されている。つまり、用紙収容部４は、底板４１を介して、用紙束１０の紙面（最上部の用紙）を異型ローラー２の転動面２１に向けて付勢する。
【００１７】
押さえローラー５は、上述した異型ローラー２と同様に、転動面５１を有する円形のものである。押さえローラー５の転動面５１は、異型ローラー２の転動面２１における曲面部２１ａより小径で且つ平面部２１ｂより大径に形成される円筒面である。押さえローラー５は、シャフト３により回転自在に支持され、シャフト３上にて異型ローラー２と同軸に配置される。押さえローラー５の転動面５１も、異型ローラー２の転動面２１と同様、用紙収容部４の底板４１、すなわち、用紙束１０の紙面（最上部の用紙）に面している。
【００１８】
たわみ部材６は、たわみ変形可能な薄板状のものである。本実施形態では、たわみ部材６として、公知のシックネスゲージが用いられている。たわみ部材６は、上下方向に延在している。たわみ部材６の上端は、押さえローラー５の転動面５１、異型ローラー２の転動面２１に面している。たわみ部材６の上端と転動面５１及び転動面２１の間には、隙間６１が設けられている。つまり、たわみ部材６は、異型ローラー２の転動面２１ならびに押さえローラー５の円筒面５１に対し、隙間６１を介して配置されている。
【００１９】
さらに、紙送り装置１は、バーコードリーダ７を備えている。本実施形態では、用紙束１０を形成する用紙の各々に、バーコードが印刷されている。このバーコードが、バーコードリーダ７によって読み取られる。
【００２０】
以下、紙送り装置１の動作について、図３（ａ）〜（ｃ）を参照して説明する。図３（ａ）〜（ｃ）は、紙送り装置１の動作態様を模式的に示す図である。
【００２１】
駆動機構３０のハンドル部材３３（図２参照）が操作されると、駆動力が異型ローラー２に伝達され、異型ローラー２が回転する。異型ローラー２が回転すると、異型ローラー２の転動面２１の曲面部２１ａが、図３（ａ）に示す様に、用紙束１０における最上部の用紙１１に接触する。
【００２２】
用紙束１０における最上部の用紙１１（以下、用紙１１）は、異型ローラー２の転動面２１の曲面部２１ａと接触している間、図３（ｂ）に示す様に、異型ローラー２の回転にともなって送り方向（図３示右方向）に送られる。異型ローラー２によって送られる用紙１１は、たわみ部材６と送り方向に当接する。たわみ部材６は、用紙１１との当接にともなって、送り方向にたわみ変形する。たわみ部材６は、異型ローラー２によって送られる用紙１１と当接した後、用紙１１が隙間６１（図１参照）を通過すべく、送り方向にたわみ変形する。たわみ部材６のたわみ変形により、用紙１１の送り方向への移動がガイドされる。また、用紙１１の紙質、厚み等に応じて隙間６１の大きさを適宜調整することで、用紙１１をスムーズに送ることができる。なお、用紙１１が異型ローラー２によって送られる時に、用紙１１のバーコードがバーコードリーダ７（図１参照）によって読み取られる。用紙１１の送り動作とバーコードの読み取り動作とが同時に行われるので、これら動作を行う際の作業効率が向上する。
【００２３】
異型ローラー２がさらに回転すると、用紙１１が送り方向にさらに送られる。用紙１１は、たわみ部材６にガイドされて隙間６１を通過した後、ハンドル部材３３の操作にともなって回転するガイドローラー８（図１及び図２参照）にガイドされ、用紙収容部４の下方に位置する受け箱９に送られる（図１及び図２参照）。
【００２４】
用紙１１が受け箱９に送られると、図３（ｃ）に示す様に、異型ローラー２の転動面２１の曲面部２１ａが用紙１１から離れ、押さえローラー５の転動面５１が、次の用紙１２（以下、用紙１２）に接触する。押さえローラー５の転動面５１が用紙１２に接触するので、異型ローラー２の転動面２１の平面部２１ｂが用紙１２に接触しない。つまり、押さえローラー５は、異型ローラー２の転動面２１の平面部２１ｂが用紙１２から離れるように、用紙１２を押さえている。
【００２５】
そして、異型ローラー２がさらに回転し、異型ローラー２の転動面２１の曲面部２１ａが用紙１２に接触すると、押さえローラー５の転動面５１が用紙１２から離れ、用紙１２は、異型ローラー２の回転にともなって送り方向に送られる。つまり、押さえローラー５の転動面５１は、用紙１１が異型ローラー２の転動面２１の曲面部２１ａによって送られた後、異型ローラー２の転動面２１の曲面部２１ａが用紙１２を送り始めるまでの間（異型ローラー２の曲面部２１ａが用紙１２に接触するまでの間）、用紙１２に接触する。
【００２６】
以上説明した様に、本発明に係る紙送り装置１は、異型ローラー２の転動面２１における曲面部２１ａより小径で且つ平面部２１ｂより大径に形成される転動面５１を有し、シャフト３上にて異型ローラー２と同軸に配置される押さえローラー５を備えている。押さえローラー５の転動面５１は、用紙束１０における最上部の用紙１１が異型ローラー２の曲面部２１ａによって送られた後、異型ローラー２の曲面部２１ａが次の用紙１２を送り始めるまでの間、次の用紙１２に接触する。
【００２７】
この構造によれば、最上部の用紙１１が異型ローラー２の曲面部２１ａによって送られた後、異型ローラー２の曲面部２１ａが次の用紙１２を送り始めるまでの間、異型ローラー２の転動面２１における平面部２１ｂは、次の用紙１２から必ず離れており、次の用紙１２に接触しない。したがって、異型ローラー２の転動面２１のうち曲面部２１ａだけが送られる用紙１１と接触し、用紙１１は、異型ローラー２の曲面部２１ａだけ、すなわち一様な転動面２１によって送られることになる。これにより、用紙１１が一様でない転動面によって送られる従来の場合と比べて、用紙１１が送られる際に異型ローラー２に作用する抵抗が軽減され、用紙１１がスムーズに送られることとなる。
【図面の簡単な説明】
【００２８】
【図１】本発明に係る紙送り装置１の概略図。
【図２】紙送り装置１の上面図（図１におけるＩＩ方向矢視図）。
【図３】紙送り装置１の動作態様を模式的に示す図。
【符号の説明】
【００２９】
１  紙送り装置
２  異型ローラー
３  シャフト
４  用紙収容部
５  押さえローラー
６  たわみ部材
１０  用紙束
１１  最上部の用紙
１２  次の用紙
２１  転動面
２１ａ  曲面部
２１ｂ  平面部
５１  転動面（円筒面）
６１  隙間
【図１】
2007230749.tif 000003
【図２】
2007230749.tif 000004
【図３】
2007230749.tif 000005